(57)【要約】      （修正有）【課題】衣類を収納する場合、場所を最小限におさえ且つ多くの衣類を収納することができ、また吊り下げ状態にして衣類が目視できるようにした収納式ハンガーを提供する。【解決手段】足元から手の届く範囲の長さが設定容易であるから、範囲内に複数本の巻き取り材を収納できると同時に、横方向からどんな衣類か又色、柄の目視ができ取り出しがスムーズにできる。一方、複数連吊り下げることにより、シーズン中日常的に多くの衣類を収納でき便利となる。更に簡単な部材の組み合わせの為、安価に製作でき不使用の際には折りたたみ保管することができる。【選択図】図１
0003158072.tif 000002
【実用新案登録請求の範囲】
【請求項１】
上部に位置する吊り下げ体１と下部に位置する連結体２の各左右端に、等間隔に複数の孔７……を設けた帯体に３、３を各々連着９、９すること。該孔７……の間隔に合わせたＵ字型止めピン８……を該孔７……に差し込むようにしたこと。上記左右の帯体３、３の内側に位置すべく巾を有し、且つ片面にマジックテープ５、５を粘着してなる巻き取り材４を設けること。
以上にして、衣類６を巻き取り材４にまるめ込み左右の帯体３、３の間に位置させ、両側より上記孔７……を介しＵ字型止めピン８、８を巻き取り材４の内側の衣類６に挿入させるようにして成る衣類収納式ハンガー。
本考案は、家庭の衣類を収納する場合、場所を最小限におさえ、且つ多くの衣類を収納することができ、また吊り下げた状態にして衣類が目視できるようにした全く合理的な収納式ハンガーの提供に係る。
その要旨とするところは、上部に位置する吊り下げ体１と下部に位置する連結体２の各左右端しに、等間隔に複数の孔７……を設けた帯体３、３を各々連着９、９すること。該孔７……の間隔に合せた有すＵ字型止めピン８……を該孔７……に差し込むようにしたこと。上記左右の帯体３、３の内側に位置すべく巾を有し、且つ片面にマジックテープ５、５を粘着してなる巻き取り材４を設けること。
以上にして、衣類６を巻き取り材４にまるめ込み左右の帯体３、３の間に位置させ、両側より上記孔７……を介し、Ｕ字型止めピン８、８を巻き取り材４の内側の衣類６に挿入させるようにして成る衣類収納式ハンガーにある。
従来、家庭において衣類の収納方法は多くのものが存在するが、例えば衣類をぐるぐる巻きにしてタンス或いはケース等に収納する方法や分別して折りたたんでケース毎に収納する方法、また単体のハンガー形式のもの等々がある。
しかし、いずれも収納場所をとること、見い出し難いこと、取り出しにくいこと等の不便さがあった。
本考案は、従来のこのような難点を解決したものである。
本考案の１実施例を第１図〜第６図に示し詳細に説明すると、吊り下げ体１の上部中心には掛け金具１０を設けるとともに該吊り下げ体１の下部左右には複数の孔７……をもつ比較的強さを有すベルト状の帯体３、３を連着９、９し、一方該帯体３、３の下部には連結体２を設けてある。該連結体２は不要な場合は上方に巻き取り高さＨを短くし、必要に応じて解きほぐし長くすることができる。このようにして成る吊り下げられた帯体３、３の空間に丸めた衣類を連ねて収納するものである。
次に、その収納手順について再度説明するならば、まず少しの強さを有する巻き取り材４（第３図）に衣類６を一緒に丸め込む（第４図）。このとき該巻取り材４に貼り付けてあるマジックテープ５、５（短いヒモ状のものでもよい）帯体３、３の間に位置させ、Ｕ字型止めピン８（第５図）を衣類６のすき間に差し込み（第６図）で完了する。このとき、帯体３、３の上方から下方へ順次吊り下げてゆき、連結体２は帯体３、３の必要な長さＨ分だけで良いので不必要な長さ分だけ巻き取っておけば良い。
なおＵ字型止めピン８は、孔７……の間隔を考慮した各異なる巾を（第５図、（Ａ）、（Ｂ））を使用することが容易であるから、衣類６の薄いもの厚いものによる巻き取り径に柔軟に対応ができる。
以上にして成る本考案の衣類収納式ハンガーによれば、足元から手の届く範囲の長さ（Ｈ）が設定容易であるから、この範囲内において複数本の巻き取り材４……を収納できると同時に第２図のように横方向からどんな衣類があるか、また色や柄の目視ができ取り出しがスムーズにできる。一方、このハンガーを複数連吊り下げることが全く容易であるから特に家庭においてシーズン中に日常的に使用する多くの衣類を収納することができ頗る便利となり得る。さらに、簡単な部材の組み合わせであるから安価に製作でき、しかも必要に応じて長さＨを調節でき、また不使用の際にはおりたたみ保管することができる等々の有用な効果を奏するものである。
【考案の詳細な説明】
【技術分野】
【０００１】  本考案は、家庭の衣類を収納する場合、場所を最小限におさえ、且つ多くの衣類を収納することができ、また吊り下げ状態にして衣類が目視できるようにした、全く合理的な収納式ハンガーの提供に係る。
【背景技術】
【０００２】  従来、家庭において衣類の収納方法は多くのものが存在するが、例えば衣類をぐるぐる巻きにして、タンス或いはケース等に収納する方法また、単体のハンガー形式のもの等々がある。
【考案の概要】
【考案が解決しようとする課題】
【０００３】  いずれも収納場所をとること、見い出し難いこと、取り出しにくいことなどの不便さがあった。本考案は、従来のこのような難点を解決したものである。
【課題を解決するための手段】
【０００４】  本考案は家庭の衣類を収納する場合、場所を最小限におさえ、且つ多くの衣類を収納することができ、また吊り下げた状態にして衣類が目視できるようにした全く合理的な収納ハンガーの提供に係る。
【考案の効果】
【０００５】  本考案の衣類収納式ハンガーによれば、足元から手の届く範囲の長さ（Ｈ）が設定容易であるから、この範囲内において複数本の巻き取り材４……を収納できると同時に第２図のように横方向からどんな衣類があるか、また色や柄の目視ができ取り出しがスムーズにできる。一方、このハンガーを複数連吊り下げることが全く容易であるから特に家庭においてシーズン中に日常的に使用する多くの衣類を収納することができ頗る便利になり得る。
さらに、簡単な部材の組み合わせであるから安価に製作でき、しかも必要に応じて長さ（Ｈ）を調節でき、また不使用の際にはおりたたみ保管することができる等々の有用な効果を奏するものである。
【図面の簡単な説明】
【０００６】
【図１】  本考案の一般正面説明図
【図２】  第１図の側面（部分）説明図
【図３】  巻き取り材４の斜視説明図
【図４】  巻き取った状態を示す斜視説明図
【図５】  Ｕ字型止めピンを表わす説明図
【図６】  Ｕ字型止めピンの差し込み要領を表わす説明図
【考案を実施するための形態】
【０００７】  第１図は、一実施例を示す一般正面説明図
【符号の説明】
【０００８】１  …………  吊り下げ帯
２  …………  連結体
３  …………  帯体
４  …………  巻き取り材
５  …………  マジックテープ
６  …………  衣類
７  …………  孔
８  …………  ピン
９  …………  連着
【図１】
0003158072.tif 000003
【図２】
0003158072.tif 000004
【図３】
0003158072.tif 000005
【図４】
0003158072.tif 000006
【図５】
0003158072.tif 000007
【図６】
0003158072.tif 000008
【手続補正書】
【提出日】平成21年12月10日(2009.12.10)
【手続補正１】
【補正対象書類名】実用新案登録請求の範囲
【補正対象項目名】全文
【補正方法】変更
【補正の内容】
【実用新案登録請求の範囲】
【請求項１】
上部に位置する吊り下げ体と下部に位置する連結体の各左右端に、等間隔に複数の孔を設けた帯体を各々連着し、該孔の間隔に合わせたＵ字型止めピンを該孔に差し込み、片面に「マジックテープ（登録商標）」を粘着してなる巻き取り材を、前記Ｕ字型止めピンによって前記左右の帯体の内側に設置したことを特徴とする衣類収納式ハンガー。
【手続補正２】
【補正対象書類名】明細書
【補正対象項目名】全文
【補正方法】変更
【補正の内容】
【考案の詳細な説明】
【技術分野】
【０００１】  本考案は、家庭の衣類を収納する場合、場所を最小限におさえ、且つ多くの衣類を収納することができ、また吊り下げ状態にして衣類が目視できるようにした、全く合理的な収納式ハンガーの提供に係る。
【背景技術】
【０００２】  従来、家庭において衣類の収納方法は多くのものが存在するが、例えば衣類をぐるぐる巻きにして、タンス或いはケース等に収納する方法また、単体のハンガー形式のもの等々がある。
【考案の概要】
【考案が解決しようとする課題】
【０００３】  いずれも収納場所をとること、見い出し難いこと、取り出しにくいことなどの不便さがあった。本考案は、従来のこのような難点を解決したものである。
【課題を解決するための手段】
【０００４】  本考案のその要旨とするところは、上部に位置する吊り下げ体１と下部に位置する連結体２の各左右端しに、等間隔に複数の孔７……を設けた帯体３、３を各々連着９、９すること。該孔７……の間隔に合わせた大きさＵ字型止めピン８……を該孔７……に差し込むようにしたこと。上記左右の帯体３、３の内側に位置すべく巾を有し、且つ片面にマジックテープ（登録商標）５、５を粘着してなる巻き取り材４を設けて、衣類６を巻き取り材４にまるめ込み左右の帯体３、３の間に位置させ、両側より上記孔７……を介し、Ｕ字型止めピン８、８を巻き取り材４の内側の衣類６に挿入させて成る衣類収納式ハンガーにある。
次に、本考案の１実施例を第１図〜第６図に示し詳細に説明すると、吊り下げ体１の上部中心には掛け金具１０を設けるとともに該吊り下げ体１の下部左右には複数の孔７……をもつ比較的強さを有すベルト状の帯体３、３を連着９、９し、一方該帯体３、３の下部には連結体２を設けてある。該連結体２は不要な場合は上方に巻き取り高さＨを短くし、必要に応じて解きほぐし長くすることができる。このようにして成る吊り下げられた帯体３、３の空間に丸めた衣類を連ねて収納するものである。
次に、その収納手順について再度説明するならば、まず少しの強さを有する巻き取り材４（第３図）に衣類６を一緒に丸め込む（第４図）。このとき該巻取り材４に貼り付けてあるマジックテープ（登録商標）５、５（短いヒモ状のものでもよい）帯体３、３の間に位置させ、Ｕ字型止めピン８（第５図）を衣類６のすき間に差し込み（第６図）で完了する。このとき、帯体３、３の上方から下方へ順次吊り下げてゆき、連結体２は帯体３、３の必要な長さＨ分だけで良いので不必要な長さ分だけ巻き取ることができる。
なおＵ字型止めピン８は、孔７……の間隔を考慮した各異なる巾を第５図、（Ａ）、（Ｂ）を使用することが容易であるから、衣類６の薄いもの厚いものによる巻き取り径に柔軟に対応ができる。
【考案の効果】
【０００５】  本考案の衣類収納式ハンガーによれば、足元から手の届く範囲の長さ（Ｈ）が設定容易であるから、この範囲内において複数本の巻き取り材４……を収納できると同時に第２図のように横方向からどんな衣類があるか、また色や柄の目視ができ取り出しがスムーズにできる。一方、このハンガーを複数連吊り下げることが全く容易であるから特に家庭においてシーズン中に日常的に使用する多くの衣類を収納することができ頗る便利になり得る。
さらに、簡単な部材の組み合わせであるから安価に製作でき、しかも必要に応じて長さ（Ｈ）を調節でき、また不使用の際にはおりたたみ保管することができる等々の効果がある。
【図面の簡単な説明】
【０００６】第１図  ………  本考案の一般説明図
第２図  ………  第１図の側面（部分）説明図
第３図  ………  巻き取り材４の斜視説明図
第４図  ………  巻き取った状態を示す斜視説明図
第５図  ………  Ｕ字型止めピンを表わす説明図
第６図  ………  Ｕ字型止めピンの差し込み要領を表わす説明図
【考案を実施するための形態】
【０００７】  ［第１図］は、一実施例を示す一般説明図
【符号の説明】
【０００８】  １  …………  吊り下げ帯
２  …………  連結体
３  …………  帯体
４  …………  巻き取り材
５  …………  マジックテープ（登録商標）
６  …………  衣類
７  …………  孔
８  …………  ピン
９  …………  連着